(57)【要約】【課題】簡単な構造で強度を増した紙製パレットを提供する。【解決手段】紙製パレットは、平板状のデッキ板１０と、デッキ板１０の一面から突出するよう複数箇所に設けられた桁材２０とからなる紙製パレットであって、デッキ板１０が、一面を開口し、内部に空間を設けた箱形の内箱１１と、内箱１１を収納可能な大きさに一面を開口された箱形の外箱１２とを備え、内箱１１と外箱１２の開口部を対向させるように、内箱１１に外箱１２の開口部を被せた状態で、内箱１１の開口部上端縁１１Ｔが外箱１２の開口部底面に当接するよう構成すると共に、外箱１２の開口部下端縁１２Ｔが当接する段差面１５を内箱１１の周囲の少なくとも一部に形成している。これによって、内箱１１の上端縁１１Ｔと外箱１２の下端縁１２Ｔの２カ所を当接させてデッキ板１０を支持することができ、加重を分散させてデッキ板１０の強度を向上できる。【選択図】図３
2006341878.tif 000002
【特許請求の範囲】
【請求項１】
平板状のデッキ板と、前記デッキ板の一面から突出するよう複数箇所に設けられた桁材とからなる紙製パレットであって、
前記デッキ板が、
一面を開口し、内部に空間を設けた箱形の内箱と、
前記内箱を収納可能な大きさに一面を開口された箱形の外箱と
を備え、
前記内箱と外箱の開口部を対向させるように、内箱に外箱の開口部を被せた状態で、前記内箱の開口部上端縁が前記外箱の開口部底面に当接するよう構成すると共に、
前記外箱の開口部下端縁が当接する段差面を前記内箱の周囲の少なくとも一部に形成してなることを特徴とする紙製パレット。
【請求項２】
請求項１に記載の紙製パレットであって、
前記内箱の開口面と対向する閉塞面側に平板を固定し、前記平板の周縁が前記内箱から突出して前記段差面が形成されてなることを特徴とする紙製パレット。
【請求項３】
請求項１に記載の紙製パレットであって、
前記桁材が前記内箱の開口面と対向する閉塞面側に固定されており、前記桁材の固定面が部分的に前記内箱から突出して前記段差面を形成してなることを特徴とする紙製パレット。
【請求項４】
請求項１から３のいずれかに記載の紙製パレットであって、
前記桁材が棒状に形成され、複数の桁材が略平行に略等間隔で前記デッキ板の一面に固定されてなることを特徴とする紙製パレット。
【請求項５】
請求項４に記載の紙製パレットであって、
前記桁材の内部に紙製の管状脚桁を挿入し、脚桁の端縁が桁材の内面に当接するよう構成されてなることを特徴とする紙製パレット。
【請求項６】
請求項１から５のいずれかに記載の紙製パレットであって、
前記内箱が、略矩形状の内箱底面と、前記内箱底面よりも小さく開口された矩形状の開口部を構成する筒状の側壁とで構成されてなることを特徴とする紙製パレット。
【請求項７】
請求項１から６のいずれかに記載の紙製パレットであって、
前記デッキ板及び桁材を構成する紙がダンボール製であることを特徴とする紙製パレット。
【発明の詳細な説明】
【技術分野】
【０００１】
本発明は、段ボールなどの紙製パレットに関し、例えば電池を輸送するための紙製パレットに関する。
【背景技術】
【０００２】
商品の荷役運搬、保管等にはパレットが使用されている。従来のパレットは木製や金属製、樹脂製であり、上下に配置したデッキ板の間に複数本の桁材を挟む構造となっている。デッキ板の上面に商品を載置して保管し、また荷役運搬の際に上下のデッキ板の間に形成された開口部にフォークリフトのフォークを差し込んで移動させるように構成される。
【０００３】
一方、木製のパレットは中国やＥＵ諸国では防虫の燻蒸処理が義務付けられており、コストが高くなる。そのため脱木製品として紙製のパレットが注目されており、中でも軽量で再生可能な段ボールを用いたパレットが開発されている。段ボールパレットは、デッキ板の片面に桁材を固定したタイプが多く、デッキ板の下面に接着された桁材が、板状段ボールをロール状に巻き束ねたり複数枚の板状段ボールを重ね合わせた中実タイプの段ボールパレットや、桁材が中空タイプの段ボールパレット等がある（例えば特許文献１参照）。
【０００４】
このような段ボールパレットは、デッキ板の上面に商品を載置するタイプの他、デッキ板の内部に商品を収納する構成も多用されている。このような紙製パレットの一例を図８の斜視図に示す。この紙製パレット８０は、デッキ板８１の下面に複数条の桁材８２を固定している。デッキ板８１は内箱８４（図１０）と外箱８３で構成し、上方を開口した内箱の内部を収納スペースとし、内箱の周囲を覆う蓋状に形成した外箱８３を被せて商品を保護する。
【特許文献１】実開平５−１９１３１号公報
【発明の開示】
【発明が解決しようとする課題】
【０００５】
しかしながら、従来の紙製パレットは木製パレットなどに比べて強度が弱く、複数枚のパレットを積み重ねる場合などに潰れてしまうおそれがあった。例えば図９に示すように、パレット８１は複数を積層した状態でフォークリフトＦなどで移送されることがある。この場合に、下段に配置されるパレットには過大な荷重がかかるため、十分な強度が要求される。
【０００６】
この様子を図１０の拡大断面図に基づいて詳説すると、紙製パレット８０の内箱８４に外箱８３を被せる構造のため、内箱８４の端縁８４Ｔ、すなわち側壁の上端面が外箱８３の裏面を突っ張るように支持している。このため、過大な負荷がかかると内箱８４の側壁が折れ曲がって支持できなくなり、デッキ板が潰れてしまい内容物の商品を破損するおそれがあるという問題があった。
【０００７】
本発明は、このような問題点を解決するためになされたものである。本発明の主な目的は、簡単な構造で強度を増した紙製パレットを提供することにある。
【課題を解決するための手段】
【０００８】
上記の目的を達成するために、本発明の第１の側面に係る紙製パレットは、平板状のデッキ板と、デッキ板の一面から突出するよう複数箇所に設けられた桁材とからなる紙製パレットであって、デッキ板が、一面を開口し、内部に空間を設けた箱形の内箱と、内箱を収納可能な大きさに一面を開口された箱形の外箱とを備え、内箱と外箱の開口部を対向させるように、内箱に外箱の開口部を被せた状態で、内箱の開口部上端縁が外箱の開口部底面に当接するよう構成すると共に、外箱の開口部下端縁が当接する段差面を内箱の周囲の少なくとも一部に形成している。これによって、内箱の上端縁と外箱の下端縁の２カ所を当接させてデッキ板を支持することができ、加重を分散させてデッキ板の強度を向上できる。
【０００９】
また、本発明の第２の側面に係る紙製パレットは、内箱の開口面と対向する閉塞面側に平板を固定し、平板の周縁が内箱から突出して段差面が形成されている。この構成によって、平板で段差面を容易に形成できる。特に平板を利用することで段差面を広く設けることが容易となり、広い段差面を設けることで強度をより向上できる。
【００１０】
さらに、本発明の第３の側面に係る紙製パレットは、桁材が内箱の開口面と対向する閉塞面側に固定されており、桁材の固定面が部分的に内箱から突出して段差面を形成している。この構成によって、桁材を利用して容易に段差面を形成でき、コストを安価にできる効果が得られる。
【００１１】
また、本発明の第４の側面に係る紙製パレットは、桁材が棒状に形成され、複数の桁材が略平行に略等間隔でデッキ板の一面に固定されている。これによって桁材で均等にデッキ板を支持できる。
【００１２】
さらに、本発明の第５の側面に係る紙製パレットは、桁材の内部に紙製の管状脚桁を挿入し、脚桁の端縁が桁材の内面に当接するよう構成されている。これによって簡単な構造で桁材を内部から補強できる。
【００１３】
さらにまた、本発明の第６の側面に係る紙製パレットは、内箱が、略矩形状の内箱底面と、内箱底面より小さく開口された矩形状の開口部を構成する筒状の側壁とで構成されている。これによって、内箱を内箱底面と側壁の２部材に分割して構成できる。
【００１４】
さらにまた、本発明の第７の側面に係る紙製パレットは、デッキ板及び桁材を構成する紙がダンボール製である。段ボールは軽量で強度があり、衝撃吸収力に優れる上安価であるため、パレットの材料として理想的である。
【発明の効果】
【００１５】
本発明の紙製パレットは、内箱の上端縁と外箱の下端縁の２カ所を当接させてデッキ板を支持する構造によって、加重を分散させてデッキ板の強度を向上できる。このため、紙製パレットを重ねて積層する用途にも対応できる。一方、紙製パレットを構成する紙材の強度を弱くしても同程度の強度を得ることができるので、安価な紙材を採用して紙製パレットの製造コストを下げることもできる。
【発明を実施するための最良の形態】
【００１６】
以下、本発明の実施の形態を図面に基づいて説明する。ただし、以下に示す実施の形態は、本発明の技術思想を具体化するための紙製パレットを例示するものであって、本発明は紙製パレットを以下のものに特定しない。また特許請求の範囲に示される部材を、実施の形態の部材に特定するものでは決してない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１７】
図１に、本発明の一実施の形態に係る紙製パレットの外観斜視図を、図２に紙製パレットのデッキ板内部に対象物である商品Ａを保持する状態を示す分解斜視図を、図３に段差面でデッキ板を支持する状態を示す拡大断面図を、図４に外箱を外した状態で内箱を示す斜視図を、図５に紙製パレットを６段積層する状態を示す斜視図を、図６に桁材の斜視図を、図７に段差面を示す拡大断面斜視図を、それぞれ示す。これらの図に示す紙製パレット１００は、平板状のデッキ板１０と、デッキ板１０の底面に固定された桁材２０とを備える。デッキ板１０は、内箱１１と外箱１２を重ねて構成される。内箱１１は一方を開口した直方体状の有底箱形に形成され、内部を収納スペースＳとしている。また外箱１２は、この内箱１１を挿入できる大きさに一方を開口した同じく直方体状の有底箱形に形成され、内箱１１の蓋あるいは外ケースとして機能する。このデッキ板１０は、図２に示すように内箱１１の開口部を上向きに開口させる姿勢とし、内部の収納スペースＳに商品Ａを収納した状態で、外箱１２の開口部を下向きにして内箱１１の周囲を覆うようにカバーして閉塞し、収納スペースＳを保護する。図２の例では、桁材２０を固定した内箱１１に、商品Ａを固定するための枠状スペーサ１３を挿入し、商品Ａを保護する保護シート１４で商品Ａを覆った状態で挿入した後、外箱１２を上方から嵌め込み閉塞する。
【００１８】
紙製パレット１００は、紙で構成され、好ましくは段ボールが使用できる。段ボールは入手が容易で比較的安価である上、軽量で強度があり、衝撃吸収力にも優れるため、パレットの材料として理想的である。
【００１９】
また、紙製パレット１００で保護、運搬される商品としては、特に限定するものでないが、例えばＨＥＶ用のバッテリシステム等が挙げられる。特にＨＥＶ用のバッテリシステムは高出力化のために近年電池の使用数が多く、それにつれて重量も重くなる傾向にある。一方で、従来の木製、金属製のパレットに代わって、自然保護、資源保護、あるいは防虫の燻蒸処理や経費削減などの観点から、紙製パレットが求められている。したがって、このような商品の搬送に適した紙製パレットとして好適に利用できる。
【００２０】
商品Ａは、好ましくは保護シート１４で覆った状態で内箱１１に挿入される。保護シート１４は、商品Ａを傷付けないように保護すると共にクッション材の役目も果たす。また商品Ａが内箱１１内で移動して破損等しないよう、必要に応じて枠状スペーサ１３を内箱１１にセットし、商品Ａを動かないよう保持する。枠状スペーサ１３は紙、エアークッション、発泡スチロール等が利用できる。
（段差面）
【００２１】
また内箱１１は、その周囲に外箱１２の開口端縁を当接させて支持するための段差面１５を形成している。この様子を図３及び図７に基づいて説明すると、外箱１２を閉塞した状態で外箱１２の側壁の端縁１２Ｔすなわち開口端の下面が当接する段差面１５を内箱１１に形成する。この面は、内箱１１の底面に固定される桁材２０の上面で形成する。すなわち、図２、図４などに示すようにずらして固定する。これによって、段差面１５の形成を容易に行うことができる。段差面１５は、桁材２０を設けた部分に形成することができ、図２の例では３本の桁材２０をデッキ板１０の左右に突出させて各面それぞれ３カ所、計６カ所に形成される。
【００２２】
段差面１５を形成することにより、デッキ板１０に印加される応力を分散させ、強度を向上させることができる。従来の紙製パレットでは、図１０に示すように内箱８４の端縁８４Ｔのみでデッキ板を支持していたため、この部分に負荷が集中して折れ曲がりや潰れが生じ、内部の商品を破損するおそれがあった。
【００２３】
これに対して本実施の形態に係る紙製パレットでは、図３に示すように内箱１１の端縁１１Ｔのみならず、外箱１２の端縁１２Ｔでも支持される。したがってデッキ板１０の上下から押圧されても、内箱１１と外箱１２で応力を分散して支持されるので、デッキ板１０の押圧に対する強度を向上できる。このように、極めて簡単な構成で紙製パレットの強度を向上させることができ、図５に示すような紙製パレット１００の積層にも対応可能とできる。一方、要求される強度が低い場合は、紙製パレットを構成する紙の材質に強度の弱いものを使用してもある程度の強度を確保できるので、強度の弱い安価な材質を利用でき、紙製パレットのコストを低減できる効果も得られる。
【００２４】
また段差面の形成は、桁材を利用する他、別部材で設けることもできる。例えば、内箱の開口面と対向する閉塞面側すなわち下面に平板を固定し、平板を内箱よりも大きく形成することで内箱から突出する段差面を容易に形成できる。この方法であれば、より広い領域に段差面を形成して応力を分散できる。また、平板と桁材の位置ずらしを併用することもでき、これによって更に強度の向上を図ることができる。
【００２５】
さらに内箱の構成を一体の箱状とせず、平板と枠の組み合わせとすることで、内箱の底面と平板を併用できる。例えば、略矩形状の内箱底面と、内箱底面とほぼ同じ形状で多少小さく開口させた矩形状の開口部を構成する筒状の側壁すなわち枠とで内箱を構成する。内箱底面は外箱の側壁をほぼ同じ大きさに形成し、枠は、外箱の側壁の厚さに相当する分だけ内箱底面よりも小さく形成する。このように内箱を内箱底面と側壁の２部材に分割して構成でき、収納する商品の形態によっては載置、収納を容易に行える。例えば重い商品を持ち上げて内箱に挿入するよりも、内箱底面上に商品を載置した状態で枠を上から囲むように載置して外箱を被せることで、容易にデッキ板に収納できる。また上記構成では内箱底面の上面に枠と外箱の側壁を載置し、３カ所で当接させてデッキ板を支持できる。
（桁材２０）
【００２６】
桁材２０は、図１に示すようにデッキ板１０の底面から突出するように固定される。桁材２０の斜視図を図６に示す。図６に示す桁材２０は棒状に延長された中空の箱形で、内部に脚桁２１を挿入している。脚桁２１はパイプ状に形成され、長さを桁材２０内部と同じ大きさとして脚桁２１の天面及び底面が桁材２０の内面を当接するように構成され、桁材２０を内部で補強する。脚桁２１は紙製のものが使用でき、好ましくは段ボール製とする。桁材やデッキ板と同じ紙製、特に段ボール製とすることで、リサイクルや廃棄処理を容易にできる。
【００２７】
脚桁２１は好ましくは２以上、桁材２０内部に離間して配置される。桁材２０同士の間に隙間を設けることで、フォークリフトのフォークをこの隙間に挿入して紙製パレットの運搬に利用できる。また脚桁の形状は上記のパイプ状に限られず、三角柱や四角柱などの角柱状や円柱状、楕円柱状、箱状などとでき、中空、中実いずれを採用することもできる。
【００２８】
桁材２０は２以上、好ましくは３以上がデッキ板１０の底面に固定される。複数の桁材２０はほぼ等間隔に離間して配置される。図１の例では、桁材２０の長さをデッキ板１０の一辺とほぼ等しく形成して、デッキ板１０の両端と中央に桁材２０を固定している。これによって桁材２０に加わる応力が均等に分散されてデッキ板１０を支持できる。なお桁材は４本以上配置することもできることはいうまでもない。また桁材の長さを短くして、デッキ板の長さ方向に沿って複数本の桁材を直線上に離間させて配置することもできる。あるいは、桁材を一方向に平行に揃えてデッキ板に固定する他、十字状に交差させたり、矩形状、環状に配置することも可能である。ただ、桁材を交差させると桁材同士の間の間隔が均一でなくなり、フォークリフトのフォークを挿入して運搬する妨げとなるので、好ましくはフォークを挿入しやすいように、各桁材の間を開けて配置する。
【００２９】
このような桁材２０を内箱１１の底面に、上述の通り桁材２０の上面が内箱１１から突出するようにずらして固定する。これによって突出部分が段差面１５となり、外箱１２の側壁の端縁１２Ｔを当接させて応力を分散させることができる。段差面１５は、好ましくは外箱１２の側壁の厚さとほぼ等しくする。これによって、外箱１２を内箱１１に被せた状態で外箱１２と桁材２０の表面がほぼ同一平面となり、使用時に紙製パレットからの突出部や段差部を無くして取り扱いを容易にできる。
【００３０】
なお、以上の例ではデッキ板の一面に桁材を突出させる構成の紙製パレットを例示したが、２枚のデッキ板で桁材を挟むように構成することもできる。また、桁材は内箱の下面に固定する他、外箱の上面に固定することもできる。
【産業上の利用可能性】
【００３１】
本発明の紙製パレットは、重量が大きな電気自動車等の車両用電源装置を搬送するパレットやトレーに好適に適用できる。
【図面の簡単な説明】
【００３２】
【図１】本発明の一実施の形態に係る紙製パレットの外観を示す斜視図である。
【図２】図１の紙製パレットに商品を収納する状態を示す分解斜視図である。
【図３】段差面でデッキ板を支持する状態を示す拡大断面図である。
【図４】外箱を外した状態の内箱を示す斜視図である。
【図５】紙製パレットを６段積層する状態を示す斜視図である。
【図６】桁材を示す斜視図である。
【図７】段差面を示す拡大断面斜視図である。
【図８】従来の紙製パレットの一例を示す斜視図である。
【図９】紙製パレットを複数を積層した状態でフォークリフトで移送する状態を示す斜視図である。
【図１０】従来の紙製パレットの要部を示す拡大断面図である。
【符号の説明】
【００３３】
１００…紙製パレット
１０…デッキ板
１１…内箱
１１Ｔ…内箱の端縁
１２…外箱
１２Ｔ…外箱の端縁
１３…枠状スペーサ
１４…保護シート
１５…段差面
２０…桁材
２１…脚桁
８０…紙製パレット
８１…デッキ板
８２…桁材
８３…外箱
８４…内箱
８４Ｔ…内箱の端縁
Ａ…商品
Ｓ…収納スペース
Ｆ…フォークリフト
【図１】
2006341878.tif 000003
【図２】
2006341878.tif 000004
【図３】
2006341878.tif 000005
【図４】
2006341878.tif 000006
【図５】
2006341878.tif 000007
【図６】
2006341878.tif 000008
【図７】
2006341878.tif 000009
【図８】
2006341878.tif 000010
【図９】
2006341878.tif 000011
【図１０】
2006341878.tif 000012